(57)【要約】      （修正有）【課題】迅速に相互に連結して１つの連結チェーンとして使用でき、美観と装飾等の効果を備え、さらに光反射部の設計を組み合わせ、警告表示の作用も提供できる、光反射チェーンを提供する。【解決手段】光反射チェーン３は、本体３１と、本体３１の両側にそれぞれ設けられたフックユニット３２を含み、フックユニット３２が具備する可撓性の弾力を利用し、任意の２つの光反射チェーン３を相互に連結したいとき、そのうち１つの光反射チェーン３の一側のフックユニット３２を別の１つの光反射チェーン３の一側のフックユニット３２に相互に対応させ、フックユニット３２の第１半弧フック部３２３と第２半弧フック部３２４の設計を利用し、ペーパークリップを嵌めるような方法で速やかに相互に連結し、２つの光反射チェーン３を相互に組み合わせて１つの連結チェーンとして使用できる。【選択図】図３
0003215701.tif 000002
【実用新案登録請求の範囲】
【請求項１】
光反射チェーンであって、可撓性材質で成る本体と、該本体の両側にそれぞれ設けられたフックユニットを含み、そのうち、該本体上に表示に用いる表示部が形成され、該表示部に光反射部が設けられ、該フックユニットが２つの間隔をあけて相互に対応し、かつ該本体から外側に向かって延伸された第１棒体部と第２棒体部を備え、該第１棒体部と該第２棒体部上にそれぞれ外側に向かって延伸された第１半弧フック部と第２半弧フック部が設けられ、該フックユニットが該第１半弧フック部と該第２半弧フック部の設置により該本体との間にフック空間を形成し、該第１半弧フック部と該第２半弧フック部の向きが異なる方向の外側に向けて設置されたことを特徴とする、光反射チェーン。
【請求項２】
前記光反射部が、光エネルギーを貯蔵する作用を備えた図柄とすることができることを特徴とする、請求項１に記載の光反射チェーン。
【請求項３】
前記光反射部が、噴き付けられた蛍光塗料として設置することができることを特徴とする、請求項１に記載の光反射チェーン。
【請求項４】
前記光反射部が、粘着作用を備えた文字または図として設置することができることを特徴とする、請求項１に記載の光反射チェーン。
【請求項５】
前記光反射チェーンが、複数個を相互に掛合して組み合わせ、１つの連結チェーンを形成できることを特徴とする、請求項１に記載の光反射チェーン。
【考案の詳細な説明】
【技術分野】
【０００１】
本考案はチェーンに関し、特に警告表示、美観、装飾等の機能を備えた、光反射チェーンに関する。
【背景技術】
【０００２】
一般にチェーンは複数個のリング体を相互に掛合して成り、人、車、物の阻隔に用いるほか、その使用可能な範囲は非常に幅広いが、該チェーンは複数のリング体が相互に掛合されて成るため、それ自体は装飾の機能を備えていない。図１と図２に示す台湾特許公報第Ｉ２７１１４５号の「チェーン」１の発明は、複数のチェーン構成部材１１と、任意の２つの該チェーン構成部材１１を連結させる連結棒１２と、該連結棒１２を該チェーン構成部材１１上に固定するためのナット１３を含み、そのうち、該各チェーン構成部材１１上に第１孔１１１と第２孔１１２が設けられ、該第１孔１１１、第２孔１１２に該連結棒１２が穿通され、同時に該ナット１３で該連結棒１２が固定される。同時に、該各チェーン構成部材１１自体に文字や符号、図案が印刷されている（図は概略図で示す）。これにより、複数の該チェーン構成部材１１を利用して連結し、１つのチェーン１として使用するとき、印刷された文字や符号、図案を通じて美観効果またはメッセージ伝達等の作用を達することができる。しかしながら、使用を経て、従来の該チェーン１は該連結棒１２が該ナット１３により固定される方法で該各チェーン構成部材１１が連結されるため、該各チェーン構成部材１１の連結に時間と手間がかかり、知らず知らずのうちに作業時間とコストが増加することが分かった。同時に、長さを変えて使用したいときも非常に面倒であり、またメッセージ伝達の機能を備えているものの、警告表示の機能は備えていない。このため、本願の考案者は特にこの問題に対して改善を図り、本願の出願に至ったものである。
【先行技術文献】
【特許文献】
【０００３】
【特許文献１】台湾特許公報第Ｉ２７１１４５号明細書
【考案の概要】
【考案が解決しようとする課題】
【０００４】
このため、本考案の目的は、迅速に相互に連結して１つの連結チェーンとして使用でき、美観と装飾等の効果を備えているだけでなく、さらに光反射部の設計を組み合わせ、警告表示の作用も提供することができる、光反射チェーンを提供することにある。
【課題を解決するための手段】
【０００５】
以下この考案について説明する。請求項１に記載する光反射チェーンは、可撓性材質で成る本体と、該本体の両側にそれぞれ設けられたフックユニットを含み、そのうち、該本体上に表示に用いる表示部が形成され、該表示部に光反射部が設けられ、該フックユニットが２つの間隔をあけて相互に対応し、かつ該本体から外側に向かって延伸された第１棒体部と第２棒体部を備え、該第１棒体部と該第２棒体部上にそれぞれ外側に向かって延伸された第１半弧フック部と第２半弧フック部が設けられ、該フックユニットが該第１半弧フック部と該第２半弧フック部の設置により該本体との間にフック空間を形成し、該第１半弧フック部と該第２半弧フック部の向きが異なる方向の外側に向けて設置される。
【０００６】
請求項２に記載する光反射チェーンは、請求項１における前記光反射部が、光エネルギーを貯蔵する作用を備えた図柄とすることができる。
【０００７】
請求項３に記載する光反射チェーンは、請求項１における前記光反射部が、噴き付けられた蛍光塗料として設置することができる。
【０００８】
請求項４に記載する光反射チェーンは、請求項１における前記光反射部が、粘着作用を備えた文字または図として設置することができる。
【０００９】
請求項５に記載する光反射チェーンは、請求項１における前記光反射チェーンが、複数個を相互に掛合して組み合わせ、１つの連結チェーンを形成できる。
【考案の効果】
【００１０】
このため、該フックユニットが具備する可撓性の弾力を利用し、複数個の該光反射チェーンを相互に連結したいときは、そのうち１つの該光反射チェーンのそのうち１つの該フックユニットと、相対する別の１つの該光反射チェーンのそのうち１つのフックユニットを、それぞれが具備する該半弧フック部の設計により、ペーパークリップを嵌めるような方法で速やかに相互に連結できる。これにより、該光反射チェーンを迅速に連結して１つの連結チェーンとして使用することができ、装飾、美観等の効果を備えているほか、同時に該本体の該光反射部の設置により、連結して１つの連結チェーンとした該光反射チェーンに警告表示の作用を提供させることができる。
【図面の簡単な説明】
【００１１】
【図１】従来のチェーンの立体分解図である。
【図２】複数のチェーン構成部材が連結された従来のチェーンの立体外観図である。
【図３】本考案の好ましい実施例の立体斜視図である。
【図４】該好ましい実施例の複数の該光反射チェーンを連結した連結チェーンの立体斜視図である。
【考案を実施するための形態】
【００１２】
図３の本考案の光反射チェーン３の好ましい実施例の立体斜視図を参照する（図は概略図として示す）。可撓性材質で本体３１が設けられ、該本体３１の両側にそれぞれフックユニット３２が設けられる。そのうち、該本体３１上に表示に用いる表示部３１１が設けられ、該表示部３１１に光反射部３１２（図は外略図として示す）が設けられる。当然、該光反射部３１２の設置は、光エネルギーの貯蔵作用を備えた図柄を設計したり、その上に蛍光塗料を噴き付けたりして設置でき、また当然、ニーズに応じてさまざまな文字や符号等の形態として設置することもできる。同時に、該光反射部３１２は光反射作用を備えた文字または図を貼付して設置する設計としてもよく、該表示部３１１上に貼付して、さまざまな使用上のニーズに対応することができる。
【００１３】
続いて、該各フックユニット３２は２つの間隔が相互に対応し、かつ該本体３１から外側に延伸された第１棒体部３２１と第２棒体部３２２を備え、かつ該第１棒体部３２１、第２棒体部３２２上に、外側に向かって延伸された第１半弧フック部３２３と第２半弧フック部３２４がそれぞれ形成される。同時に該フックユニット３２が該第１半弧フック部３２３、第２半弧フック部３２４の設置により該本体３１との間にフック空間３２５を形成する。該第１半弧フック部３２３、第２半弧フック部３２４の向きは外側に異なる方向に向けて設置される。
【００１４】
図３と図４に示すように、使用時は、使用上のニーズに基づきまず連結したい数量の複数の該光反射チェーン３を準備する。このとき、任意の２つの該光反射チェーン３を連結することができる。即ち、まず１つ目の該光反射チェーン３の該本体３１を手に持ち、もう一方の手で２つ目の該光反射チェーン３'の該本体３１'を握り、同時に１つ目の該フックユニット３２と２つ目の該フックユニット３２'を対応させて、１つ目の該フックユニット３１の該第１半弧フック部３２３（または第２半弧フック部３２４）を動かして、２つ目の該第１半弧フック部３２３'、第２半弧フック部３２４'に係入させると、２つ目の該フックユニット３２'が１つ目の該第１半弧フック部３２３（または第２半弧フック部３２４）に嵌置されて掛合され、かつその具備する可撓性の弾力作用に沿って１つ目の該第１棒体部３２１（または第２棒体部３２２）を２つ目の該第１半弧フック部３２３'、第２半弧フック部３２４'箇所に来させ、ペーパークリップを嵌めるような方法で速やかに相互に連結させることができ、これにより１つ目の該フックユニット３２と２つ目の該フックユニット３２'が相互に緊密に掛合される。このように１つ目の該光反射チェーン３と、２つ目の該光反射チェーン３'を迅速に相互に連結した後、さらに３つ目の該光反射チェーン３"のフックユニット３２"を２つ目の他方の該フックユニット３２'に対応させ、前述した１つ目の該光反射チェーン３と２つ目の該光反射チェーン３'の相互連結方式によって連結することができる。こうして、図４に示すように、複数の該光反射チェーン３を迅速に連結して１つの連結チェーンＢとして使用することができる。またすでに連結されて１つの連結チェーンＢを構成している該光反射チェーン３の相互の連結方式を適宜変えたいときは、前述の連結方法を逆方向にして取り外し、該光反射チェーン３の組み合わせ態様を変えることができる。このため、組み合わせて連結した後も再び組み合わせ形態を変えることができる該光反射チェーン３は、使用上美観と装飾等の効果を備えているだけでなく、同時に該本体上の該光反射部３１２上の設計を適時に利用し、さまざまな図柄、文字等を印刷して使用したり、蛍光塗料のみとしたりすることができ、いずれも日中光エネルギーを吸収した後、夜間の使用時に吸収した光エネルギーを発光させることができる。同時に、ライトの照明があるときは、蛍光反射の効果を備え、より好ましい警告表示作用を発揮させることができる。
【００１５】
前述をまとめると、本考案の光反射チェーンは、本体の両側に設置されたフックユニットが可撓性の弾力を備えた設計により、２つの該光反射チェーンそれぞれのそのうち１つの該フックユニットを相互に対応させ、ペーパークリップを嵌めるような方法で相互間を速やかに連結させ、任意の２つの該光反射チェーンを相互に組み合わせて１つの連結チェーンとして使用することができるため、迅速に相互に連結でき、連結させて使用するとき、装飾と美観等の効果を備えているほか、適時に該本体に設けられた光反射部を組み合わせて利用し、該光反射チェーンの使用方法を変えて、警告表示作用を提供させることもでき、本考案の目的を確実に達成することができる。
【符号の説明】
【００１６】
(従来品)
１        チェーン
１１      チェーン構成部材
１２        連結棒
１３        ナット
１１１      第１孔
１１２      第２孔
(本考案)
３ 、３'、３"   光反射チェーン
３１、３１'、３１" 本体
３２、３２'、３２" フックユニット
３１１     表示部
３１２     光反射部
３２１     第１棒体部
３２２     第２棒体部
３２３、３２３' 第１半弧フック部
３２４、３２４'第１半弧フック部
３２５     フック空間
Ｂ         連結チェーン
【図１】
0003215701.tif 000003
【図２】
0003215701.tif 000004
【図３】
0003215701.tif 000005
【図４】
0003215701.tif 000006